(57)【特許請求の範囲】
【請求項１】
少なくとも生息位置を含む生物に関する生物関連情報を記憶する生物関連情報記憶部と、
生物を撮影する撮影者の現在位置を示す位置情報を、当該撮影者が携行する携帯型端末装置から取得する位置情報取得手段と、
撮影対象となる生物の分類として、動物、植物及び昆虫のうちの少なくともいずれか一つを特定する生物分類特定手段と、
前記位置情報取得手段により取得した位置情報に示されている撮影者の現在位置周辺に生息している生物のうち、前記生物分類特定手段によって特定された分類に属する生物に関する生物関連情報を、前記生物関連情報記憶部から抽出する生物関連情報抽出手段と、
前記生物関連情報抽出手段により抽出された生物関連情報を、前記携帯型端末装置に対して送信する生物関連情報送信手段と、
前記撮影者によって撮影前に予め登録された当該撮影者が撮影を希望する生物の分類を示す生物分類情報を記憶する生物分類情報記憶部と
を備え、
前記生物分類特定手段が、前記撮影者によって登録された、前記生物分類情報記憶部に記憶されている生物分類情報に基づいて、撮影対象となる生物の分類を特定するように構成され、
前記生物関連情報送信手段が、前記撮影者が撮影対象となる生物を発見することを支援するための情報として、前記抽出された生物関連情報を前記携帯型端末装置に対して送信するように構成されている、
撮影支援装置。
【請求項２】
前記生物関連情報記憶部が、時期毎に異なる生物関連情報を記憶しており、
前記生物関連情報抽出手段が、撮影時期に基づいて、前記撮影者の現在位置周辺に生息している生物に関する生物関連情報を、前記生物関連情報記憶部から抽出するように構成されている、
請求項１に記載の撮影支援装置。
【請求項３】
前記生物関連情報記憶部に記憶されている生物関連情報に係る生物の画像情報を記憶する画像情報記憶部と、
前記位置情報取得手段により取得した位置情報に示されている撮影者の現在位置周辺に生息している生物の画像情報を、前記画像情報記憶部から抽出する画像情報抽出手段と
をさらに備え、
前記生物関連情報送信手段が、前記生物関連情報抽出手段により抽出された生物関連情報と併せて、前記画像情報抽出手段により抽出された画像情報を、前記携帯型端末装置に対して送信するように構成されている、
請求項１又は２に記載の撮影支援装置。
【請求項４】
前記生物関連情報記憶部に記憶されている生物関連情報に係る生物の音声情報を記憶する音声情報記憶部と、
前記位置情報取得手段により取得した位置情報に示されている撮影者の現在位置周辺に生息している生物の音声情報を、前記音声情報記憶部から抽出する音声情報抽出手段と
をさらに備え、
前記生物関連情報送信手段が、前記生物関連情報抽出手段により抽出された生物関連情報と併せて、前記音声情報抽出手段により抽出された音声情報を、前記携帯型端末装置に対して送信するように構成されている、
請求項１乃至３の何れかに記載の撮影支援装置。
【請求項５】
撮影者の所望の生物分類を示す生物分類情報を記憶する生物分類情報記憶部をさらに備え、
前記生物関連情報抽出手段が、前記生物分類情報記憶部に記憶されている生物分類情報に示されている生物分類に係る生物の生物関連情報を、前記生物関連情報記憶部から抽出するように構成されている、
請求項１乃至４の何れかに記載の撮影支援装置。
【請求項６】
前記位置情報取得手段により取得した位置情報に基づいて、前記撮影者の将来位置を予測する将来位置予測手段をさらに備え、
前記生物関連情報抽出手段が、前記将来位置予測手段によって予測された撮影者の将来位置周辺に生息している生物に関する生物関連情報を、前記生物関連情報記憶部から抽出するように構成されている、
請求項１乃至５の何れかに記載の撮影支援装置。
【請求項７】
前記生物関連情報記憶部が、生物の外観を示す外観情報を含む生物関連情報を記憶している、
請求項１乃至６の何れかに記載の撮影支援装置。
【請求項８】
前記生物関連情報記憶部が、生物の出現時間帯を示す出現時間帯情報を含む生物関連情報を記憶している、
請求項１乃至７の何れかに記載の撮影支援装置。
【請求項９】
前記生物関連情報記憶部が、生物の行動パターンを示す行動パターン情報を含む生物関連情報を記憶している、
請求項１乃至８の何れかに記載の撮影支援装置。
【請求項１０】
生物を撮影する撮影者に携行される携帯型端末装置において、
少なくとも生息位置を含む生物に関する生物関連情報を記憶する生物関連情報記憶部と、
生物を撮影する撮影者の現在位置を示す位置情報を取得する位置情報取得手段と、
撮影対象となる生物の分類として、動物、植物及び昆虫のうちの少なくともいずれか一つを特定する生物分類特定手段と、
前記位置情報取得手段により取得した位置情報に示されている撮影者の現在位置周辺に生息している生物のうち、前記生物分類特定手段によって特定された分類に属する生物に関する生物関連情報を、前記生物関連情報記憶部から抽出する生物関連情報抽出手段と、
前記生物関連情報抽出手段により抽出された生物関連情報を出力する生物関連報出力手段と、
前記撮影者によって撮影前に予め登録された当該撮影者が撮影を希望する生物の分類を示す生物分類情報を記憶する生物分類情報記憶部と
を備え、
前記生物分類特定手段が、前記撮影者によって登録された、前記生物分類情報記憶部に記憶されている生物分類情報に基づいて、撮影対象となる生物の分類を特定するように構成され、
前記生物関連情報出力手段が、前記撮影者が撮影対象となる生物を発見することを支援するための情報として、前記抽出された生物関連情報を出力するように構成されている、
携帯型端末装置。
【請求項１１】
少なくとも生息位置を含む生物に関する生物関連情報を記憶する生物関連情報記憶部、及び撮影者によって撮影前に予め登録された当該撮影者が撮影を希望する生物の分類を示す生物分類情報を記憶する生物分類情報記憶部を備えるコンピュータが、
生物を撮影する撮影者の現在位置を示す位置情報を、当該撮影者が携行する携帯型端末装置から取得する位置情報取得工程と、
撮影対象となる生物の分類として、動物、植物及び昆虫のうちの少なくともいずれか一つを特定する生物分類特定工程と、
前記位置情報取得工程により取得した位置情報に示されている撮影者の現在位置周辺に生息している生物のうち、前記生物分類特定工程によって特定された分類に属する生物に関する生物関連情報を、前記生物関連情報記憶部から抽出する生物関連情報抽出工程と、
前記生物関連情報抽出工程により抽出された生物関連情報を、前記携帯型端末装置に対して送信する生物関連報送信工程と
を実行し、
前記生物分類特定工程において、前記コンピュータが、前記撮影者によって登録された、前記生物分類情報記憶部に記憶されている生物分類情報に基づいて、撮影対象となる生物の分類を特定し、
前記生物関連情報送信工程において、前記コンピュータが、前記撮影者が撮影対象となる生物を発見することを支援するための情報として、前記抽出された生物関連情報を前記携帯型端末装置に対して送信する、
撮影支援方法。
【発明の詳細な説明】
【技術分野】
【０００１】
本発明は、撮影者が生物の撮影を行う場合に、当該撮影を支援するための撮影支援装置及び撮影支援方法に関する。
【背景技術】
【０００２】
近年では、カメラ機能を備えた携帯電話機及びデジタルスチルカメラ等が普及しており、誰もが気軽に撮影を行うことが可能になっている。これに伴い、撮影者が撮影に不慣れな場合であっても、所望の写真・画像を得ることができるように、撮影を支援するための技術が種々提案されている。
【０００３】
例えば、特許文献１には、撮影地点データを登録するデータ登録手段と、その撮影地点データに基づいて所定の撮影地点に撮影者を誘導する撮影地点誘導手段とを有する撮影地点誘導機能付きカメラが開示されている。このカメラによれば、撮影に好適な地点に撮影者を誘導することができるため、好ましい写真・画像を得ることができる。
【０００４】
同様にして、特許文献２には、撮影に好適な地点に撮影者を誘導するとともに、当該地点で撮影された参照指示画像を提供して同様の構図で撮影を行うよう教示する撮影装置が開示されている。この撮影装置によれば、不慣れな撮影者であっても、好ましい構図で容易に撮影を行うことができる。
【先行技術文献】
【特許文献】
【０００５】
【特許文献１】特開２００２−２１４６８１号公報
【特許文献２】特開２００９−２３９３９７号公報
【発明の概要】
【発明が解決しようとする課題】
【０００６】
上述したように、従来のカメラ及び撮影装置の場合、予め定められた撮影地点に撮影者を誘導することになっている。すなわち、これらの従来技術において、撮影対象は、海及び山等のように静的で動くことがないものであることが前提となっており、その撮影対象が存在する地点に撮影者を誘導することになる。そのため、相当程度の範囲において移動する動物及び生息する位置が一定ではない植物等の生物を撮影対象とする場合、これらの従来技術では適切な支援を行うことができないという問題がある。
【０００７】
本発明は斯かる事情に鑑みてなされたものであり、その主たる目的は、生物を撮影対象とする場合に適切な支援を行うことができる撮影支援装置及び撮影支援方法を提供することにある。
【課題を解決するための手段】
【０００８】
上述した課題を解決するために、本発明の一の態様の撮影支援装置は、少なくとも生息位置を含む生物に関する生物関連情報を記憶する生物関連情報記憶部と、生物を撮影する撮影者の現在位置を示す位置情報を、当該撮影者が携行する携帯型端末装置から取得する位置情報取得手段と、撮影対象となる生物の分類として、動物、植物及び昆虫のうちの少なくともいずれか一つを特定する生物分類特定手段と、前記位置情報取得手段により取得した位置情報に示されている撮影者の現在位置周辺に生息している生物のうち、前記生物分類特定手段によって特定された分類に属する生物に関する生物関連情報を、前記生物関連情報記憶部から抽出する生物関連情報抽出手段と、前記生物関連情報抽出手段により抽出された生物関連情報を、前記携帯型端末装置に対して送信する生物関連情報送信手段と、前記撮影者によって撮影前に予め登録された当該撮影者が撮影を希望する生物の分類を示す生物分類情報を記憶する生物分類情報記憶部とを備え、前記生物分類特定手段が、前記撮影者によって登録された、前記生物分類情報記憶部に記憶されている生物分類情報に基づいて、撮影対象となる生物の分類を特定するように構成され、前記生物関連情報送信手段が、前記撮影者が撮影対象となる生物を発見することを支援するための情報として、前記抽出された生物関連情報を前記携帯型端末装置に対して送信するように構成されている。
【０００９】
前記態様の撮影支援装置において、前記生物関連情報記憶部が、時期毎に異なる生物関連情報を記憶しており、前記生物関連情報抽出手段が、撮影時期に基づいて、前記撮影者の現在位置周辺に生息している生物に関する生物関連情報を、前記生物関連情報記憶部から抽出するように構成されていてもよい。
【００１０】
また、前記態様の撮影支援装置が、前記生物関連情報記憶部に記憶されている生物関連情報に係る生物の画像情報を記憶する画像情報記憶部と、前記位置情報取得手段により取得した位置情報に示されている撮影者の現在位置周辺に生息している生物の画像情報を、前記画像情報記憶部から抽出する画像情報抽出手段とをさらに備え、前記生物関連情報送信手段が、前記生物関連情報抽出手段により抽出された生物関連情報と併せて、前記画像情報抽出手段により抽出された画像情報を、前記携帯型端末装置に対して送信するように構成されていてもよい。
【００１１】
また、前記態様の撮影支援装置が、前記生物関連情報記憶部に記憶されている生物関連情報に係る生物の音声情報を記憶する音声情報記憶部と、前記位置情報取得手段により取得した位置情報に示されている撮影者の現在位置周辺に生息している生物の音声情報を、前記音声情報記憶部から抽出する音声情報抽出手段とをさらに備え、前記生物関連情報送信手段が、前記生物関連情報抽出手段により抽出された生物関連情報と併せて、前記音声情報抽出手段により抽出された音声情報を、前記携帯型端末装置に対して送信するように構成されていてもよい。
【００１２】
また、前記態様の撮影支援装置が、撮影者の所望の生物分類を示す生物分類情報を記憶する生物分類情報記憶部をさらに備え、前記生物関連情報抽出手段が、前記生物分類情報記憶部に記憶されている生物分類情報に示されている生物分類に係る生物の生物関連情報を、前記生物関連情報記憶部から抽出するように構成されていてもよい。
【００１３】
また、前記態様の撮影支援装置が、前記位置情報取得手段により取得した位置情報に基づいて、前記撮影者の将来位置を予測する将来位置予測手段をさらに備え、前記生物関連情報抽出手段が、前記将来位置予測手段によって予測された撮影者の将来位置周辺に生息している生物に関する生物関連情報を、前記生物関連情報記憶部から抽出するように構成されていてもよい。
【００１４】
また、前記態様の撮影支援装置において、前記生物関連情報記憶部が、生物の外観を示す外観情報を含む生物関連情報を記憶していてもよく、生物の出現時間帯を示す出現時間帯情報を含む生物関連情報を記憶していてもよい。
【００１５】
さらに、前記態様の撮影支援装置において、前記生物関連情報記憶部が、生物の行動パターンを示す行動パターン情報を含む生物関連情報を記憶していてもよく、生物が誘引する動物を示す誘引動物情報を含む生物関連情報を記憶していてもよい。
【００１６】
本発明の一の態様の携帯型端末装置は、生物を撮影する撮影者に携行される携帯型端末装置において、少なくとも生息位置を含む生物に関する生物関連情報を記憶する生物関連情報記憶部と、生物を撮影する撮影者の現在位置を示す位置情報を取得する位置情報取得手段と、撮影対象となる生物の分類として、動物、植物及び昆虫のうちの少なくともいずれか一つを特定する生物分類特定手段と、前記位置情報取得手段により取得した位置情報に示されている撮影者の現在位置周辺に生息している生物のうち、前記生物分類特定手段によって特定された分類に属する生物に関する生物関連情報を、前記生物関連情報記憶部から抽出する生物関連情報抽出手段と、前記生物関連情報抽出手段により抽出された生物関連情報を出力する生物関連報出力手段と、前記撮影者によって撮影前に予め登録された当該撮影者が撮影を希望する生物の分類を示す生物分類情報を記憶する生物分類情報記憶部とを備え、前記生物分類特定手段が、前記撮影者によって登録された、前記生物分類情報記憶部に記憶されている生物分類情報に基づいて、撮影対象となる生物の分類を特定するように構成され、前記生物関連情報出力手段が、前記撮影者が撮影対象となる生物を発見することを支援するための情報として、前記抽出された生物関連情報を出力するように構成されている。
【００１７】
本発明の一の態様の撮影支援方法では、少なくとも生息位置を含む生物に関する生物関連情報を記憶する生物関連情報記憶部、及び撮影者によって撮影前に予め登録された当該撮影者が撮影を希望する生物の分類を示す生物分類情報を記憶する生物分類情報記憶部を備えるコンピュータが、生物を撮影する撮影者の現在位置を示す位置情報を、当該撮影者が携行する携帯型端末装置から取得する位置情報取得工程と、撮影対象となる生物の分類として、動物、植物及び昆虫のうちの少なくともいずれか一つを特定する生物分類特定工程と、前記位置情報取得工程により取得した位置情報に示されている撮影者の現在位置周辺に生息している生物のうち、前記生物分類特定工程によって特定された分類に属する生物に関する生物関連情報を、前記生物関連情報記憶部から抽出する生物関連情報抽出工程と、前記生物関連情報抽出工程により抽出された生物関連情報を、前記携帯型端末装置に対して送信する生物関連報送信工程とを実行し、前記生物分類特定工程において、前記コンピュータが、前記撮影者によって登録された、前記生物分類情報記憶部に記憶されている生物分類情報に基づいて、撮影対象となる生物の分類を特定し、前記生物関連情報送信工程において、前記コンピュータが、前記撮影者が撮影対象となる生物を発見することを支援するための情報として、前記抽出された生物関連情報を前記携帯型端末装置に対して送信する。
【発明の効果】
【００１８】
本発明に係る撮影支援装置及び撮影支援方法によれば、生物を撮影対象とする場合に適切な支援を行うことができる。
【図面の簡単な説明】
【００１９】
【図１】本発明の実施の形態に係る撮影支援システムの構成を示すブロック図。
【図２】本発明の実施の形態に係る撮影支援装置の構成を示すブロック図。
【図３】本発明の実施の形態に係る撮影支援装置に設けられている撮影者情報データベースのレイアウトの一例を示す図。
【図４】本発明の実施の形態に係る撮影支援装置に設けられている動物撮影支援情報データベースのレイアウトの一例を示す図。
【図５】本発明の実施の形態に係る撮影支援装置に設けられている植物撮影支援情報データベースのレイアウトの一例を示す図。
【図６】本発明の実施の形態に係る撮影支援装置に設けられている昆虫撮影支援情報データベースのレイアウトの一例を示す図。
【図７】本発明の実施の形態に係る撮影支援システムが備える撮影支援装置及び携帯電話機が実行する現在位置撮影支援処理の手順を示すフローチャート。
【図８Ａ】動物撮影支援情報を用いて生成された、携帯電話機のディスプレイ上に表示される撮影支援画面の一例を示す図。
【図８Ｂ】図８Ａにおける画像表示ボタンが押下された場合に表示される撮影支援画面の一例を示す図。
【図９Ａ】植物撮影支援情報を用いて生成された、携帯電話機のディスプレイ上に表示される撮影支援画面の一例を示す図。
【図９Ｂ】図９Ａにおける画像表示ボタンが押下された場合に表示される撮影支援画面の一例を示す図。
【図１０Ａ】昆虫撮影支援情報を用いて生成された、携帯電話機のディスプレイ上に表示される撮影支援画面の一例を示す図。
【図１０Ｂ】図１０Ａにおける画像表示ボタンが押下された場合に表示される撮影支援画面の一例を示す図。
【図１１】本発明の実施の形態に係る撮影支援システムが備える撮影支援装置及び携帯電話機が実行する撮像画像投稿処理の手順を示すフローチャート。
【図１２】本発明の実施の形態に係る撮影支援システムが備える撮影支援装置が実行する将来位置撮影支援処理の手順を示すフローチャート。
【図１３】携帯電話機のディスプレイ上に表示される撮影支援画面の他の例を示す図。
【発明を実施するための形態】
【００２０】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２１】
また、以下では、撮影対象となる生物を動物・植物・昆虫に分けて例示しているが、これは説明の便宜上の分類にすぎず、本発明の技術的思想がこの分類に限定されるわけではない。
【００２２】
［撮影支援システムの構成］
図１は、本発明の実施の形態に係る撮影支援システムの構成を示すブロック図である。図１に示すとおり、本実施の形態の撮影支援システムは、生物を撮影する場合において当該撮影を支援するための撮影支援装置１と、各撮影者が携行する携帯電話機２，２，…とを備えている。これらの撮影支援装置１及び携帯電話機２，２，…は、インターネット等の通信ネットワークＮＴＷを介して通信可能に接続されている。ここで、携帯電話機２，２，…は、ＣＣＤ（Charge Coupled Device）又はＣＭＯＳ（Complementary Metal Oxide Semiconductor）等の撮像素子で構成されるカメラを備えている。なお、携帯電話機２，２，…の代わりに、例えば通信機能を有するデジタルスチルカメラ等、通信機能及びカメラ機能を有する他の装置を用いるようにしてもよい。
【００２３】
［撮影支援装置の構成］
以下、上述した撮影支援装置１の詳細な構成について説明する。
図２は、本発明の実施の形態１に係る撮影支援装置１の構成を示すブロック図である。図２に示すとおり、コンピュータ（撮影支援装置）１は、ＣＰＵ１０、ＲＯＭ１１、ＲＡＭ１２、ハードディスク１３、及び通信インタフェース（Ｉ／Ｆ）１４を備えており、これらのＣＰＵ１０、ＲＯＭ１１、ＲＡＭ１２、ハードディスク１３及び通信Ｉ／Ｆ１４は、バス１５によって接続されている。
【００２４】
ＣＰＵ１０は、ＲＡＭ１２にロードされた各種のコンピュータプログラムを実行する。これにより、コンピュータ１が本実施の形態の撮影支援装置１として機能することになる。
【００２５】
ＲＯＭ１１は、マスクＲＯＭ、ＰＲＯＭ（Programmable ROM）、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００２６】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２７】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、撮影者に関する撮影者情報が格納される撮影者情報データベース（ＤＢ）１３Ａと、撮影対象が動物である場合に撮影を支援するための動物撮影支援情報が格納される動物撮影支援情報データベース（ＤＢ）１３Ｂと、撮影対象が植物である場合に撮影を支援するための植物撮影支援情報が格納される植物撮影支援情報データベース（ＤＢ）１３Ｃと、撮影対象が昆虫である場合に撮影を支援するための昆虫撮影支援情報が格納される昆虫撮影支援情報データベース（ＤＢ）１３Ｄと、生物の画像情報が格納される画像情報データベース（ＤＢ）１３Ｅと、生物の鳴き声等の音声情報が格納される音声情報データベース（ＤＢ）１３Ｆと、各撮影者から投稿される画像情報が格納される投稿画像情報データベース（ＤＢ）１３Ｇとが設けられている。これらの各データベースの詳細については後述する。
【００２８】
さらに、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００２９】
通信Ｉ／Ｆ１４は、通信ネットワークＮＴＷを介して撮影支援装置１が外部の装置と通信するためのインタフェース装置である。撮影支援装置１は、この通信Ｉ／Ｆ１４を介して、携帯電話機２，２，…との間で各種のデータの送受信を行う。
【００３０】
以下、ハードディスク１３に設けられている各データベースの詳細について説明する。
（Ａ）撮影者情報ＤＢ１３Ａ
図３は、本発明の実施の形態に係る撮影支援装置１に設けられている撮影者情報ＤＢ１３Ａのレイアウトの一例を示す図である。図３に示すように、撮影者情報ＤＢ１３Ａは、撮影者を識別するための撮影者ＩＤが格納される撮影者ＩＤフィールド１０１、撮影者の氏名が格納される氏名フィールド１０２、撮影者の連絡先である電子メールアドレスが格納されるアドレスフィールド１０３、撮影者が撮影を希望する生物の分類を示す情報が格納される生物分類フィールド１０４、及び撮影者が設定したパスワードが格納されるパスワードフィールド１０５を有している。撮影支援装置１は、上記の撮影者情報を、撮影支援システムの利用を希望する撮影者から取得し、撮影者情報ＤＢ１３Ａに登録する。
【００３１】
（Ｂ）動物撮影支援情報ＤＢ１３Ｂ
図４は、本発明の実施の形態に係る撮影支援装置１に設けられている動物撮影支援情報ＤＢ１３Ｂのレイアウトの一例を示す図である。図４に示すように、動物撮影支援情報ＤＢ１３Ｂは、動物が生息する位置を示す情報が格納される位置フィールド２０１、期間を示す情報が格納される期間フィールド２０２、当該動物の種類を示す情報が格納される動物種類フィールド２０３、その期間における当該動物の外観を示す情報が格納される外観フィールド２０４、その期間における当該動物の鳴き声の種類を示す情報が格納される鳴き声フィールド２０５、その期間においてよく見られる当該動物の行動パターンを示す情報が格納される行動パターンフィールド２０６、当該動物の画像情報のファイル名が格納される画像フィールド２０７、及び当該動物の音声情報のファイル名が格納される音声フィールド２０８を有している。
【００３２】
本実施の形態において、位置フィールド２０１には、所定の地域を識別するための地域ＩＤが格納されている。そのため、動物撮影支援情報には、特定の地域に生息する動物に関する情報が含まれていることになる。例えば、図４の第１行目の動物撮影支援情報の場合、地域ＩＤ“Ａ１”で特定される地域において、“６月〜９月”の間に現れる動物“ＡＡＡ”が、“夏毛”であって、“警戒音”を発していることがあり、“地面付近で木の実を探している”ことが多いことを示している。そして、この場合、“12345.jpg”は“夏毛”の動物“ＡＡＡ”の画像情報のファイル名を表し、“1357.mp3”は動物“ＡＡＡ”が発する警戒音の音声情報のファイル名を表している。
【００３３】
（Ｃ）植物撮影支援情報ＤＢ１３Ｃ
図５は、本発明の実施の形態に係る撮影支援装置１に設けられている植物撮影支援情報ＤＢ１３Ｃのレイアウトの一例を示す図である。図５に示すように、植物撮影支援情報ＤＢ１３Ｃは、植物が生息する位置を示す情報が格納される位置フィールド３０１、期間を示す情報が格納される期間フィールド３０２、当該植物の種類を示す情報が格納される植物種類フィールド３０３、その期間における当該植物の外観を示す情報が格納される外観フィールド３０４、当該植物が誘引する昆虫を示す情報が格納される誘引昆虫フィールド３０５、及び当該植物の画像情報のファイル名が格納される画像フィールド３０６を有している。
【００３４】
動物撮影支援情報ＤＢ１３Ｂの場合と同様、位置フィールド３０１には、所定の地域を識別するための地域ＩＤが格納されている。そのため、植物撮影支援情報には、特定の地域に生息する植物に関する情報が含まれていることになる。例えば、図５の第１行目の植物撮影支援情報の場合、地域ＩＤ“Ｂ１”で特定される地域において、“１２月〜２月”の間に現れる植物“ＢＢＢ”が、“ロゼット”状であって、昆虫“ＣＣＣ”を誘引することを示している。そして、この場合、“45678.jpg”は、“ロゼット”状の植物“ＢＢＢ”の画像情報のファイル名を表している。
【００３５】
（Ｄ）昆虫撮影支援情報ＤＢ１３Ｄ
図６は、本発明の実施の形態に係る撮影支援装置１に設けられている昆虫撮影支援情報ＤＢ１３Ｄのレイアウトの一例を示す図である。図６に示すように、昆虫撮影支援情報ＤＢ１３Ｄは、昆虫が生息する位置を示す情報が格納される位置フィールド４０１、期間を示す情報が格納される期間フィールド４０２、当該昆虫の種類を示す情報が格納される昆虫種類フィールド４０３、その期間における当該昆虫の成育段階を示す情報が格納される成育段階フィールド４０４、その期間における当該昆虫の生息場所を示す情報が格納される生息場所フィール４０５、その期間における当該昆虫の出現時間帯を示す情報が格納される出現時間帯フィールド４０６、その出現時間帯以外において当該昆虫が存在する隠れ場所を示す情報が格納される隠れ場所フィールド４０７、及び当該昆虫の画像情報のファイル名が格納される画像フィールド４０８を有している。
【００３６】
動物撮影支援情報ＤＢ１３Ｂの場合と同様、位置フィールド４０１には、所定の地域を識別するための地域ＩＤが格納されている。そのため、昆虫撮影支援情報には、特定の地域に生息する昆虫に関する情報が含まれていることになる。例えば、図６の第１行目の昆虫撮影支援情報の場合、地域ＩＤ“Ａ２”で特定される地域において、“４月〜６月”の間に現れる昆虫“ＤＤＤ”が、“成虫”であって、“夕方のみ”に“木の表面”に現れ、それ以外の時間帯は“木の皮の裏”に隠れていることが多いことを示している。そして、この場合、“78901.jpg”は、昆虫“ＤＤＤ”の“成虫”の画像情報のファイル名を表している。なお、動物撮影支援情報ＤＢ１３Ｂの場合と同様に、昆虫撮影支援情報ＤＢ１３Ｄも、昆虫の鳴き声等の音声情報を格納するようにしてもよい。
【００３７】
上記の動物撮影支援情報、植物撮影支援情報、及び昆虫撮影支援情報は、専門家等から収集した情報に基づいて生成され、動物撮影支援情報ＤＢ１３Ｂ、植物撮影支援情報ＤＢ１３Ｃ、及び昆虫撮影支援情報ＤＢ１３Ｄにそれぞれ登録される。なお、これらの動物撮影支援情報、植物撮影支援情報、及び昆虫撮影支援情報は、適宜更新される。
【００３８】
なお、撮影支援装置１は、動物撮影支援情報、植物撮影支援情報、及び昆虫撮影支援情報に含まれる地域ＩＤの定義ファイル（以下、「地域定義ファイル」という）をハードディスク１３に格納している。この地域定義ファイルでは、地域ＩＤと、その地域ＩＤにより特定される地域の範囲とが対応付けられている。ここで、地域の範囲は緯度及び経度により規定されている。そのため、ある地点の緯度及び経度が分かれば、地域定義ファイルを参照することにより、その地点がどの地域に属するかを特定することができる。
【００３９】
後述するように、本実施の形態では、撮影者の現在位置がどの地域に属するかを判定し、その地域に生息する生物に関する情報を当該撮影者に対して提供する。ここで、地域は、上述したように所定の範囲を有する概念であるため、撮影者は、その範囲内に生息する生物に関する情報の提供を受けることになる。
【００４０】
（Ｅ）画像情報ＤＢ１３Ｅ
画像情報ＤＢ１３Ｅには、上記の動物撮影支援情報、植物撮影支援情報、及び昆虫撮影支援情報の各画像フィールド２０７、３０６及び４０８に格納されているファイル名の画像情報が蓄積されている。この画像情報には、生物の画像及びその画像の取得日等が含まれている。
【００４１】
（Ｆ）音声情報ＤＢ１３Ｆ
音声情報ＤＢ１３Ｆには、上記の動物撮影支援情報の音声フィールド２０８に格納されているファイル名の音声情報が蓄積されている。本実施の形態では、動物撮影支援情報の鳴き声フィールド２０５に格納されている種類の鳴き声の音声情報等が音声情報ＤＢ１３Ｆに蓄積されている。
【００４２】
（Ｇ）投稿画像情報ＤＢ１３Ｇ
投稿画像情報ＤＢ１３Ｇには、後述するようにして撮影者から投稿される撮像画像及びその撮影日時等を含む撮像画像情報が蓄積されている。なお、この投稿画像情報ＤＢ１３Ｇに蓄積されている情報が、画像情報ＤＢ１３Ｅに格納される場合もある。
【００４３】
［撮影支援システムの動作］
次に、上述したように構成された本実施の形態の撮影支援システムの動作について、フローチャート等を参照しながら説明する。なお、本実施の形態の撮影支援システムにて実行される主な処理には、（１）撮影者の現在位置において撮影支援を行うための現在位置撮影支援処理、（２）撮影支援後に撮影者が撮像画像を投稿するための撮像画像投稿処理、（３）撮影者の将来位置において撮影支援を行うための将来位置撮影支援処理等がある。以下では、これらの各処理の詳細について説明する。
【００４４】
（１）現在位置撮影支援処理
図７は、本発明の実施の形態に係る撮影支援システムが備える撮影支援装置１及び携帯電話機２が実行する現在位置撮影支援処理の手順を示すフローチャートである。なお、以下では、撮影者が携行している携帯電話機２がＧＰＳ（Global Positioning System）機能を有しており、ＧＰＳ衛星の電波を用いて自位置を特定することができるものとする。
【００４５】
撮影者は、登山中及び散歩中等、様々な場面において、撮影支援装置１による撮影支援を受けるために、携行している携帯電話機２を用いて撮影支援装置１にアクセスする。例えば、撮影者は、生物が多く生息していると思われる場所等に到達したときに、予め設定されている撮影者ＩＤ及びパスワードを携帯電話機２に入力し、撮影支援装置１に対してログイン処理を試みるよう携帯電話機２に対して指示する。
【００４６】
携帯電話機２は、撮影者から撮影者ＩＤ及びパスワードの入力を受け付けた場合、それらの撮影者ＩＤ及びパスワードを含むログイン情報を撮影支援装置１に対して送信する（Ｓ１０１）。
【００４７】
撮影支援装置１は、携帯電話機２から送信されたログイン情報を受信し、そのログイン情報に基づいてログイン処理を実行する（Ｓ２０１）。このログイン処理では、撮影支援装置１が、撮影者情報ＤＢ１３Ａに格納されている撮影者情報と受信したログイン情報とを照合することによってログインの成否を判定する。ここでは、ログインに成功したものとして説明を続ける。
【００４８】
撮影支援装置１は、ログイン済みの撮影者の現在位置を検知するために、当該現在位置を示す情報の送信依頼を示す位置要求情報を携帯電話機２に対して送信する（Ｓ２０２）。
【００４９】
携帯電話機２は、撮影支援装置１から送信された位置要求情報を受信した場合（Ｓ１０２）、ＧＰＳ機能を用いて携帯電話機２の自位置を示す自位置情報（例えば、緯度・経度・高度を含む情報）を取得し、その自位置情報を撮影支援装置１に対して送信する（Ｓ１０３）。
【００５０】
撮影支援装置１は、携帯電話機２から送信された自位置情報を受信した場合（Ｓ２０３）、その自位置情報に基づいて、撮影者の現在位置を特定する（Ｓ２０４）。次に、撮影支援装置１は、撮影者情報ＤＢ１３Ａに格納されているログイン済みの撮影者の撮影者情報を参照し、生物種類フィールド１０４に格納されている情報に基づいて、当該撮影者が撮影を希望する生物の分類を特定する（Ｓ２０５）。以下、その分類に応じて、撮影支援を行うために撮影者に提供する情報が生成されることになる。
【００５１】
まず、撮影支援装置１は、ステップＳ２０５にて特定した生物分類に動物が含まれているか否かを判定し（Ｓ２０６）、含まれていないと判定した場合（Ｓ２０６でＮＯ）、ステップＳ２０８に進む。他方、含まれていると判定した場合（Ｓ２０６でＹＥＳ）、撮影支援装置１は、地域定義ファイルを参照してステップＳ２０５で特定した撮影者の現在位置が属する地域を特定し、その地域を示す地域ＩＤが位置フィールド２０１に格納されており、且つステップＳ２０３における自位置情報の受信日時が属する期間が期間フィールド２０２に格納されている動物撮影支援情報を、動物撮影支援情報ＤＢ１３Ｂから抽出する（Ｓ２０７）。
【００５２】
次に、撮影支援装置１は、ステップＳ２０５にて特定した生物分類に植物が含まれているか否かを判定し（Ｓ２０８）、含まれていないと判定した場合（Ｓ２０８でＮＯ）、ステップＳ２１０に進む。他方、含まれていると判定した場合（Ｓ２０８でＹＥＳ）、撮影支援装置１は、地域定義ファイルを参照してステップＳ２０５で特定した撮影者の現在位置が属する地域を特定し、その地域を示す地域ＩＤが位置フィールド３０１に格納されており、且つステップＳ２０３における自位置情報の受信日時が属する期間が期間フィールド３０２に格納されている植物撮影支援情報を、植物撮影支援情報ＤＢ１３Ｃから抽出する（Ｓ２０９）。
【００５３】
さらに、撮影支援装置１は、ステップＳ２０５にて特定した生物分類に昆虫が含まれているか否かを判定し（Ｓ２１０）、含まれていないと判定した場合（Ｓ２１０でＮＯ）、ステップＳ２１０に進む。他方、含まれていると判定した場合（Ｓ２０８でＹＥＳ）、撮影支援装置１は、地域定義ファイルを参照してステップＳ２０５で特定した撮影者の現在位置が属する地域を特定し、その地域を示す地域ＩＤが位置フィールド４０１に格納されており、且つステップＳ２０３における自位置情報の受信日時が属する期間が期間フィールド４０２に格納されている昆虫撮影支援情報を、昆虫撮影支援情報ＤＢ１３Ｄから抽出する（Ｓ２１１）。
【００５４】
次に、撮影支援装置１は、ステップＳ２０７で抽出した動物撮影支援情報、ステップＳ２０９で抽出した植物撮影支援情報、及び／又はステップＳ２１１で抽出した昆虫撮影支援情報を用いて、撮影者の撮影を支援するための撮影支援画面を示す撮影支援画面情報を生成する（Ｓ２１２）。ここで生成される撮影支援画面情報の内容の詳細については、画面例を用いながら後述する。
【００５５】
次に、撮影支援装置１は、ステップＳ２１２で生成した撮影支援画面情報を、携帯電話機２に対して送信する（Ｓ２１３）。この送信は、ＨＴＴＰ（Hypertext Transfer Protocol）により行われてもよく、ＳＭＴＰ（Simple Mail Transfer Protocol）等の他の通信プロトコルにより行われてもよい。ＳＭＴＰにより送信する場合は、撮影者情報ＤＢ１３Ａに格納されている電子メールアドレスを宛先とした電子メールを用いることができる。
【００５６】
携帯電話機２は、撮影支援装置１から送信された撮影支援画面情報を受信した場合（Ｓ１０４）、その受信した撮影支援画面情報で示される撮影支援画面をディスプレイ上に表示する（Ｓ１０５）。
【００５７】
以下、撮影支援画面の例について、動物、植物及び昆虫の生物分類別に説明する。
図８Ａは、動物撮影支援情報を用いて生成された、携帯電話機２のディスプレイ上に表示される撮影支援画面の一例を示す図である。図８Ａに示すように、撮影支援画面Ｓ１には、撮影者の現在位置付近に生息している動物の名称（図８Ａでは“ＡＡＡ”）、その動物の外観（同じく“夏毛”）、及びその動物の行動パターン（同じく“地面付近で木の実を探している”）が示されている。撮影者は、この撮影支援画面Ｓ１を参照することにより、自分が現在いる付近に生息している動物の名称、並びにその動物の外観及び行動パターン等を把握することができる。
【００５８】
図８Ａに示すように、撮影支援画面Ｓ１には、画像表示を指示するための画像表示ボタンＢ１及び音声出力を指示するための音声出力ボタンＢ２が設けられている。撮影者は、必要に応じて、携帯電話機２の入力部を用いてこれらのボタンＢ１及びＢ２を押下する。画像表示ボタンＢ１が押下された場合、そのことを示す情報が携帯電話機２から撮影支援装置１に対して送信され、これを受けた撮影支援装置１が、ステップＳ２０７にて抽出した動物撮影支援情報に示されているファイル名の画像情報を画像情報ＤＢ１３Ｅから抽出し、これを携帯電話機２に対して送信する。同様にして、音声出力ボタンＢ２が押下された場合は、撮影支援装置１が上記動物撮影支援情報に示されているファイル名の音声情報を音声情報ＤＢ１３Ｆから抽出し、これを携帯電話機２に対して送信する。このようにして撮影支援装置１から送信された画像情報及び音声情報を受信した携帯電話機２は、これらの情報を出力する。
【００５９】
図８Ｂは、図８Ａにおける画像表示ボタンＢ１が押下された場合に表示される撮影支援画面の一例を示す図である。図８Ｂに示すように、撮影支援画面Ｓ２には、先行する撮影支援画面Ｓ１で示されている動物の画像が表示されている。撮影者は、この撮影支援画面Ｓ２を参照することにより、当該動物の特徴を視覚的に確認することが可能になる。また、音声出力ボタンＢ２が押下された場合では、当該動物の鳴き声等が出力されることになるため、撮影者は、当該動物の特徴を聴覚的に確認することができる。なお、このようにして音声情報が出力される場合に、鳴き声フィールド２０５に格納されている情報（例えば、“警戒音”等）を画面上に表示するようにしてもよい。これにより、撮影者は、出力されている鳴き声が、どのような種類のものであるのか等を確認することができる。
【００６０】
図９Ａは、植物撮影支援情報を用いて生成された、携帯電話機２のディスプレイ上に表示される撮影支援画面の一例を示す図である。図９Ａに示すように、撮影支援画面Ｓ３には、撮影者の現在位置付近に生息している植物の名称（図９Ａでは“ＢＢＢ”）、その植物の外観（同じく“ロゼット状”）、及びその植物の誘引昆虫の名称（同じく“ＣＣＣ”）が示されている。撮影者は、この撮影支援画面Ｓ３を参照することにより、自分が現在いる付近に生息している植物の名称、並びにその植物の外観及び誘引昆虫等を把握することができる。
【００６１】
図９Ａに示すように、撮影支援画面Ｓ３には、上記と同様の画像表示ボタンＢ１が設けられている。撮影者によって画像表示ボタンＢ１が押下された場合、そのことを示す情報が携帯電話機２から撮影支援装置１に対して送信され、これを受けた撮影支援装置１が、ステップＳ２０９にて抽出した植物撮影支援情報に示されているファイル名の画像情報を画像情報ＤＢ１３Ｅから抽出し、これを携帯電話機２に対して送信する。このようにして撮影支援装置１から送信された画像情報を受信した携帯電話機２は、その画像情報をディスプレイ上に表示する。
【００６２】
図９Ｂは、図９Ａにおける画像表示ボタンＢ１が押下された場合に表示される撮影支援画面の一例を示す図である。図９Ｂに示すように、撮影支援画面Ｓ４には、先行する撮影支援画面Ｓ３で示されている植物の画像が表示されている。撮影者は、この撮影支援画面Ｓ４を参照することにより、当該植物の特徴を視覚的に確認することが可能になる。なお、このときに、誘引昆虫の画像も併せて表示するようにしてもよい。
【００６３】
図１０Ａは、昆虫撮影支援情報を用いて生成された、携帯電話機２のディスプレイ上に表示される撮影支援画面の一例を示す図である。図１０Ａに示すように、撮影支援画面Ｓ５には、撮影者の現在位置付近に生息している昆虫の名称（図１０Ａでは“ＤＤＤ”）、その動物の成育段階（同じく“成虫”）、その昆虫の生息場所（同じく“木の表面”）、その昆虫の出現時間帯（同じく“夕方のみ”）、及びその昆虫の隠れ場所（同じく“木の皮の裏”）が示されている。撮影者は、この撮影支援画面Ｓ３を参照することにより、自分が現在いる付近に生息している昆虫の名称、並びに、その昆虫の成育段階、生息場所、出願時間帯、及び隠れ場所等を把握することができる。
【００６４】
なお、図１０Ａに示す例では、昆虫の生息場所、出現時間帯及び隠れ場所の各情報が表示されているが、現在日時の時間帯に応じてこれらの情報の一部のみを表示するようにしてもよい。例えば、現在日時が夕方である場合は隠れ場所は表示せずに生息場所を表示し、それ以外の時間帯であれば生息場所を表示せずに隠れ場所を表示するような態様が想定される。
【００６５】
図１０Ａに示すように、撮影支援画面Ｓ５には、上記と同様の画像表示ボタンＢ１が設けられている。撮影者によって画像表示ボタンＢ１が押下された場合、そのことを示す情報が携帯電話機２から撮影支援装置１に対して送信され、これを受けた撮影支援装置１が、ステップＳ２０９にて抽出した植物撮影支援情報に示されているファイル名の画像情報を画像情報ＤＢ１３Ｅから抽出し、これを携帯電話機２に対して送信する。このようにして撮影支援装置１から送信された画像情報を受信した携帯電話機２は、その画像情報をディスプレイ上に表示する。
【００６６】
図１０Ｂは、図１０Ａにおける画像表示ボタンＢ１が押下された場合に表示される撮影支援画面の一例を示す図である。図１０Ｂに示すように、撮影支援画面Ｓ６には、先行する撮影支援画面Ｓ５で示されている昆虫の画像が表示されている。撮影者は、この撮影支援画面Ｓ６を参照することにより、当該昆虫の特徴を視覚的に確認することが可能になる。
【００６７】
なお、ステップＳ２０５において複数の生物分類が特定されたり、また、ステップＳ２０７、Ｓ２０９、及び／又はＳ２１１にて同じ生物分類における複数種類の生物に関する情報が抽出されたりする場合、撮影支援装置１は、複数種類の生物に関する情報を含む撮影支援画面情報を携帯電話機２に対して送信することになる。この場合、携帯電話機２において画面のスクロール操作等がなされることによって、複数種類の生物の情報がディスプレイ上に表示される。
【００６８】
上述した現在位置撮影支援処理により、撮影者は、現在自分がいる地点付近に生息している生物に関する情報を把握することができる。その把握した情報に基づいて周囲を観察することにより、撮影対象の生物を容易に発見することが可能になる。
【００６９】
（２）撮像画像投稿処理
撮影者は、上述したようにして撮影支援装置１から提供された生物に関する各種の情報を用いて、自分がいる付近にその生物がいないかどうかを探し、見つけた場合は、携帯電話機２が備えるカメラを用いて当該生物を撮影する。
【００７０】
図１１は、本発明の実施の形態に係る撮影支援システムが備える撮影支援装置１及び携帯電話機２が実行する撮像画像投稿処理の手順を示すフローチャートである。図１１に示すとおり、携帯電話機２は、撮影者の操作により生物を撮影対象とした撮像画像を取得した場合（Ｓ３０１）、その撮像画像及び撮影した日時等を含む撮像画像情報を、撮影支援装置１に対して送信する（Ｓ３０２）。
【００７１】
撮影支援装置１は、携帯電話機２から送信された撮像画像情報を受信した場合（Ｓ４０１）、その撮像画像情報に含まれている撮像画像を投稿画像情報ＤＢ１３Ｇに登録する（Ｓ４０２）。
【００７２】
この撮像画像投稿処理により、撮影支援装置１には、各撮影者から投稿された撮像画像が蓄積されることになる。これらの撮像画像の中には、例えば生物多様性等の様々な研究において有用なものが含まれている場合がある。そのため、撮影支援装置１は、各撮影者から利用価値の高い資料を取得することが可能になる。
【００７３】
（３）将来位置撮影支援処理
図１２は、本発明の実施の形態に係る撮影支援システムが備える撮影支援装置１が実行する将来位置撮影支援処理の手順を示すフローチャートである。なお、この将来位置撮影支援処理は、撮影支援装置１が、撮影者が携行する携帯電話機２の自位置情報を当該携帯電話機２から所定の時間間隔で繰り返し受信した後に実行されるものとする。
【００７４】
撮影支援装置１は、携帯電話機２から経時的に受信した複数の自位置情報を用いて、その携帯電話機２の移動方向、すなわち撮影者の移動方向を予測する（Ｓ５０１）。次に、撮影支援装置１は、その予測した移動方向と、撮影者の最新の位置とに基づいて、所定時間経過後の撮影者の将来位置を予測する（Ｓ５０２）。なお、このように、本実施の形態では撮影者の移動履歴に基づいて当該撮影者の将来位置を予測しているが、それ以外の方法により将来位置の予測を行ってもよい。例えば、撮影者の現在位置及びその現在位置における地形等に基づいて当該撮影者の将来位置を予測したり、各撮影者の過去の移動履歴に基づいて当該将来位置を予測したりしてもよい。
【００７５】
次に、撮影支援装置１は、現在位置撮影支援処理のステップＳ２０５と同様にして生物種類を特定し（Ｓ５０３）、同じくステップＳ２０６乃至Ｓ２１１と同様な処理を実行することにより、撮影者の将来位置が属する地域に生息する動物に係る動物撮影支援情報、同じく植物に係る植物撮影支援情報、及び／又は、同じく昆虫に係る昆虫撮影支援情報を、動物撮影支援情報ＤＢ１３Ｂ、植物撮影支援情報ＤＢ１３Ｃ、及び／又は、昆虫撮影支援情報ＤＢ１３Ｄからそれぞれ抽出する（Ｓ５０４）。
【００７６】
その後、撮影支援装置１は、現在位置撮影支援処理のステップＳ２１２と同様にして撮影支援画面情報を生成し（Ｓ５０５）、その生成した撮影支援画面情報を携帯電話機２に対して送信する（Ｓ５０６）。
【００７７】
このようにして撮影支援装置１から送信された撮影支援画面情報を受信した携帯電話機２は、その撮影支援画面情報で示される撮影支援画面をディスプレイ上に表示する。図１３は、携帯電話機２のディスプレイ上に表示される撮影支援画面の他の例を示す図である。図１３に示すように、撮影支援画面Ｓ７には、撮影者の将来位置（撮影者がこれから向かう方面）に生息している生物に関する情報が示されている。また、この撮影支援画面Ｓ７には画像表示ボタンＢ１が設けられおり、この画像表示ボタンＢ１が押下された場合は、現在位置撮影支援処理の場合と同様にして生物の画像が表示される。
【００７８】
上述した将来位置撮影支援処理により、撮影者は、自らがこれから向かう方面に生息している生物に関する情報を把握することができる。そのため、撮影準備を前もって行うこと等が可能になる。
【００７９】
（その他の実施の形態）
上記の実施の形態では、撮影者は、所定の位置に到達したときに携帯電話機２を用いて撮影支援装置１にアクセスすることにより、撮影支援装置１による撮影支援を受ける。このように撮影者が自発的に撮影支援装置１にアクセスするのではなく、撮影者が所定の位置に到達したときに、そのことを撮影支援装置１が自動的に検知し、その位置に基づいて上記のステップＳ２０４乃至Ｓ２１２を実行することにより、撮影者を支援するようにしてもよい。この場合、例えば携帯電話機２が適宜のタイミングで位置情報を繰り返し撮影支援装置１に送信し、これを受けた撮影支援装置１が、その位置情報を用いて上記のステップＳ２０４乃至Ｓ２１２を実行するようにすればよい。これによれば、例えば、生物を撮影するのに好適な地点に撮影者が偶然到達したような場合に、当該撮影者が撮影支援を受けること等が可能になる。
【００８０】
また、上記の実施の形態では、予め撮影者が登録した分類に属する生物に関する情報が当該撮影者に提供されているが、本発明はこれに限定されるわけではなく、撮影者の現在位置又は将来位置に生息するすべての分類の生物に関する情報を提供するようにしてもよく、撮影支援装置１により決定された特定の分類の生物に関する情報を提供するようにしてもよい。
【００８１】
また、上記の実施の形態において撮影者に提供する各種の情報に加えて、各生物を撮影する場合に適した撮影方位及び撮影角度（俯角・仰角）等の情報を提供するようにしてもよい。これにより、好ましい撮像画像を容易に取得することが可能になる。
【００８２】
また、上記の実施の形態において、複数の種類の生物に係る撮影支援情報が抽出された場合、撮影時の天候及び／又は撮影日時によって、撮影者に対して提供する撮影支援情報を限定するようにしてもよい。この場合、各撮影支援情報に、撮影時の天候及び／又は撮影日時に関する情報を含めるようにすればよい。撮影時の天候については、携帯電話機２から送信された位置情報に基づいて撮影者の現在位置を特定した撮影支援装置１が、その現在位置の天候に関する情報を外部の装置から取得することが可能である。
【００８３】
また、上記の実施の形態において、撮影支援情報を１件も抽出することができなかった場合は、現在位置が属する地域の隣接地域に係る撮影支援情報を抽出し、撮影者に提供するようにしてもよい。
【００８４】
また、上記の実施の形態では、撮影支援装置１と携帯電話機２とが別装置となっているが、上述した撮影支援装置１の構成を携帯電話機２が備えることにより、携帯電話機２単体で撮影者の撮影支援を行うことができるようにしてもよい。
【産業上の利用可能性】
【００８５】
本発明の撮影支援装置及び撮影支援方法は、様々な生物を撮影対象とする場合において撮影支援を行う撮影支援装置及び撮影支援方法等として有用である。
【符号の説明】
【００８６】
１  撮影支援装置
１０  ＣＰＵ
１１  ＲＯＭ
１２  ＲＡＭ
１３  ハードディスク
１３Ａ  撮影者情報データベース
１３Ｂ  動物撮影支援情報データベース
１３Ｃ  植物撮影支援情報データベース
１３Ｄ  昆虫撮影支援情報データベース
１３Ｅ  画像情報データベース
１３Ｆ  音声情報データベース
１３Ｇ  投稿画像情報データベース
１４  通信インタフェース
１５  バス
２  携帯電話機
Ｂ１  画像表示ボタン
Ｂ２  音声出力ボタン
Ｓ１〜Ｓ７  撮影支援画面
【図１】
0005869772.tif 000002
【図２】
0005869772.tif 000003
【図３】
0005869772.tif 000004
【図４】
0005869772.tif 000005
【図５】
0005869772.tif 000006
【図６】
0005869772.tif 000007
【図７】
0005869772.tif 000008
【図８Ａ】
0005869772.tif 000009
【図８Ｂ】
0005869772.tif 000010
【図９Ａ】
0005869772.tif 000011
【図９Ｂ】
0005869772.tif 000012
【図１０Ａ】
0005869772.tif 000013
【図１０Ｂ】
0005869772.tif 000014
【図１１】
0005869772.tif 000015
【図１２】
0005869772.tif 000016
【図１３】
0005869772.tif 000017